Podtech/llm-jp-corpus-v4-ja_patent huggingface dataset:
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
血管新生の誘導、内皮細胞増殖の誘導、又は内皮細胞生存の亢進に使用するための医薬において、Ｂｖ８又はＢｖ８をコードする核酸分子を含んでなる医薬。
【請求項２】
ステロイド産生組織疾患の治療に使用するための医薬において、Ｂｖ８又はＢｖ８をコードする核酸分子を含んでなる医薬。
【請求項３】
ステロイド産生組織が内分泌腺、生殖性器官、消化管、又は気道を含む、請求項２に記載の医薬。
【請求項４】
ステロイド産生組織疾患が、リポイド先天性副腎皮質過形成、不妊症、性的成熟、アンドロゲン依存性腫瘍、性的早熟、マッククーネ-アルブライト症候群、先天性副腎発育不全、又は低ゴナドトロピン性性機能低下症を含む、請求項２に記載の医薬。
【請求項５】
ＶＥＧＦ又はＶＥＧＦをコードする核酸分子を更に含んでなる、請求項１ないし４の何れか一項に記載の医薬。
【請求項６】
内皮細胞増殖、内皮細胞生存、又は血管新生の抑制に使用するための医薬において、Ｂｖ８アンタゴニストを含んでなる医薬。
【請求項７】
内皮細胞が血管内皮細胞を含む、請求項１又は６に記載の医薬。
【請求項８】
妊孕性の調節に使用するための医薬において、Ｂｖ８アンタゴニストを含んでなる医薬。
【請求項９】
癌の治療に使用するための医薬において、Ｂｖ８アンタゴニストを含んでなる医薬。
【請求項１０】
癌がホルモン依存性癌又は生殖器官系癌である、請求項９に記載の医薬。
【請求項１１】
生殖器官が精巣又は子宮である、請求項３又は１０に記載の医薬。
【請求項１２】
ＶＥＧＦアンタゴニストを更に含んでなる、請求項９ないし１１の何れか一項に記載の医薬。
【請求項１３】
ヒトの治療のためのものである、請求項９ないし１２のいずれか一項に記載の医薬。
【請求項１４】
Ｂｖ８が天然配列のＢｖ８である、請求項１ないし１３のいずれか一項に記載の医薬。
【請求項１５】
Ｂｖ８が配列番号：２又は配列番号：４のアミノ酸配列に少なくとも８０％の配列相同性を有するアミノ酸配列を含んでなるものであり、内皮細胞の増殖を誘導する、請求項１ないし１４の何れか一項に記載の医薬。
【請求項１６】
Ｂｖ８が配列番号：６のアミノ酸配列を含んでなる、請求項１４又は１５に記載の医薬。
【請求項１７】
Ｂｖ８が天然ヒトＢｖ８である、請求項１４又は１５に記載の医薬。
【請求項１８】
Ｂｖ８が配列番号：２又は配列番号：４のアミノ酸配列を含んでなる、請求項１７に記載の医薬。
【請求項１９】
Ｂｖ８がヘパリンに結合する、請求項１５ないし１８の何れか一項に記載の医薬。
【請求項２０】
Ｂｖ８がキメラＢｖ８を含む、請求項１５ないし１９の何れか一項に記載の医薬。
【請求項２１】
キメラＢｖ８がイムノアドヘシンを含む、請求項２０に記載の医薬。
【請求項２２】
Ｂｖ８アンタゴニストを同定する方法であって、
ａ）候補化合物をＢｖ８に接触させ；
ｂ）内皮細胞増殖、内皮細胞生存、又は血管新生を抑制する候補化合物の能力を決定する
ことを含んでなる方法。
【請求項２３】
容器と；
Ｂｖ８アンタゴニストと；
癌を治療するためにＢｖ８アンタゴニストを使用する指示書と
を含んでなるキット。
【請求項２４】
癌が睾丸癌又は子宮癌である、請求項２３に記載のキット。
【請求項２５】
容器と；
Ｂｖ８と；
ステロイド産生組織疾患を治療するためにＢｖ８を使用する指示書と
を含んでなるキット。
【請求項２６】
ステロイド産生組織が精巣又は子宮組織を含む、請求項２５に記載のキット。
【請求項２７】
容器と；
Ｂｖ８アンタゴニストと；
妊孕性を調節するためにＢｖ８アンタゴニストを使用する指示書と
を含んでなるキット。
【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
母乳搾乳システムであって、
乳房から母乳を搾乳することができるよう乳房に対して圧力を印加し得るようにして構成された複数の加圧部材を備えた搾乳機構と；
乳房上に配置され得るよう構成されたフレキシブルな乳房シールドと；
この乳房シールドに対して取り付けられるとともに、乳房から搾乳した母乳の流れを案内し得るよう構成されたダクトと；
このダクトに対して流体連通可能に取り付けられるとともに、搾乳した母乳を収集し得るよう構成された収集容器と；
を具備していることを特徴とするシステム。
【請求項２】
請求項１記載のシステムにおいて、
前記複数の加圧部材の各々が、フレキシブルな部材の長手方向に沿って配置された複数のビーズを有していることを特徴とするシステム。
【請求項３】
請求項１記載のシステムにおいて、
前記複数の加圧部材の各々が、フレキシブルな部材の長手方向に沿って配置された複数のローラを有していることを特徴とするシステム。
【請求項４】
請求項１記載のシステムにおいて、
前記複数の加圧部材が、複数の螺旋部材を有していることを特徴とするシステム。
【請求項５】
請求項４記載のシステムにおいて、
さらに、前記複数の螺旋部材を回転させ得るように構成されたモータを具備していることを特徴とするシステム。
【請求項６】
請求項１記載のシステムにおいて、
前記複数の加圧部材のうちの少なくとも１つの加圧部材が、電流に応答することによって、乳房に対して圧力を印加し得るように構成されていることを特徴とするシステム。
【請求項７】
請求項６記載のシステムにおいて、
前記複数の加圧部材のうちの前記少なくとも１つの加圧部材が、形状記憶金属を有していることを特徴とするシステム。
【請求項８】
請求項６記載のシステムにおいて、
前記複数の加圧部材のうちの前記少なくとも１つの加圧部材が、圧電材料を有していることを特徴とするシステム。
【請求項９】
請求項１記載のシステムにおいて、
前記複数の加圧部材が、複数のフレキシブルな部材を有し、
これら複数のフレキシブルな部材には、これら複数のフレキシブルな部材を撓ませ得るように構成されたアクチュエータが連結され、これにより、乳房を刺激し得るものとされていることを特徴とするシステム。
【請求項１０】
請求項１記載のシステムにおいて、
少なくとも１つの加圧部材が、乳房に隣接して配置されかつ螺旋形状でもって延在した長尺部材とされていることを特徴とするシステム。
【請求項１１】
請求項１記載のシステムにおいて、
少なくとも１つの加圧部材が、フレキシブルな部材の長手方向に沿って配置された複数のペグを有していることを特徴とするシステム。
【請求項１２】
請求項１１記載のシステムにおいて、
さらに、前記複数のペグを揺動させ得るように構成されたモータを具備していることを特徴とするシステム。
【請求項１３】
請求項１記載のシステムにおいて、
さらに、ヒトの胴部に対して前記収集容器を固定し得るよう構成されたブラジャーを具備し、
このブラジャーが、前記搾乳機構と前記乳房シールドと前記ダクトとを、乳房に隣接した位置において機能的に配置固定し得るように構成されていることを特徴とするシステム。
【請求項１４】
母乳搾乳システムであって、
乳房から母乳を搾乳することができるよう乳房に対して圧力を印加し得るようにして構成された少なくとも１つの加圧部材を備えた搾乳機構と；
乳房上に配置され得るよう構成されたフレキシブルな乳房シールドと；
この乳房シールドに対して取り付けられるとともに、乳房から搾乳した母乳の流れを案内し得るよう構成されたダクトと；
このダクトに対して流体連通可能に取り付けられるとともに、搾乳した母乳を収集し得るよう構成された収集容器と；
ヒトの胴部に対して前記収集容器を固定し得るよう構成されたブラジャーであるとともに、前記搾乳機構と前記乳房シールドと前記ダクトとを、乳房に隣接した位置において機能的に配置固定し得るように構成された、ブラジャーと；
を具備していることを特徴とするシステム。
【請求項１５】
請求項１４記載のシステムにおいて、
さらに、前記少なくとも１つの加圧部材を回転させ得るように構成されたモータを具備していることを特徴とするシステム。
【請求項１６】
請求項１４記載のシステムにおいて、
前記少なくとも１つの加圧部材が、フレキシブルな部材の長手方向に沿って配置された複数のビーズを有していることを特徴とするシステム。
【請求項１７】
請求項１４記載のシステムにおいて、
前記少なくとも１つの加圧部材が、フレキシブルな部材の長手方向に沿って配置された複数のローラを有していることを特徴とするシステム。
【請求項１８】
請求項１４記載のシステムにおいて、
前記少なくとも１つの加圧部材が、フレキシブルな部材の長手方向に沿って配置された複数のペグを有していることを特徴とするシステム。
【請求項１９】
請求項１８記載のシステムにおいて、
さらに、前記複数のペグを揺動させ得るように構成されたモータを具備していることを特徴とするシステム。
【請求項２０】
請求項１４記載のシステムにおいて、
前記少なくとも１つの加圧部材が、複数の螺旋部材を有していることを特徴とするシステム。
【請求項２１】
請求項２０記載のシステムにおいて、
さらに、前記複数の螺旋部材を回転させ得るように構成されたモータを具備していることを特徴とするシステム。
【請求項２２】
請求項１４記載のシステムにおいて、
前記少なくとも１つの加圧部材が、複数のフレキシブルな部材を有し、
これら複数のフレキシブルな部材には、これら複数のフレキシブルな部材を撓ませ得るように構成されたアクチュエータが連結され、これにより、乳房を刺激し得るものとされていることを特徴とするシステム。
【請求項２３】
請求項１４記載のシステムにおいて、
前記少なくとも１つの加圧部材が、乳房に隣接して配置されかつ螺旋形状でもって延在した長尺部材とされていることを特徴とするシステム。
【請求項２４】
請求項２３記載のシステムにおいて、
さらに、前記少なくとも１つの加圧部材を回転させ得るように構成されたモータを具備していることを特徴とするシステム。
【請求項２５】
請求項１４記載のシステムにおいて、
前記少なくとも１つの加圧部材が、電流に応答することによって、乳房に対して圧力を印加し得るように構成されていることを特徴とするシステム。
【請求項２６】
請求項２５記載のシステムにおいて、
前記少なくとも１つの加圧部材が、形状記憶金属を有していることを特徴とするシステム。
【請求項２７】
請求項２５記載のシステムにおいて、
前記少なくとも１つの加圧部材が、圧電材料を有していることを特徴とするシステム。
【手続補正書】
【提出日】平成17年8月31日(2005.8.31)
【手続補正１】
【補正対象書類名】特許請求の範囲
【補正対象項目名】全文
【補正方法】変更
【補正の内容】
【特許請求の範囲】
【請求項１】
第一の拡大形状、第一の湾曲形状、第二の半径方向の圧縮形状および第二の供給形状を有する脊椎インプラントにおいて、第一の拡大形状よりも小さい半径方向の圧縮形状における横断面寸法と、第一の湾曲形状よりも真直な第二の供給形状における形状とを有し、円板腔内への供給時に第二の半径方向の圧縮形状および第二の供給形状をとり、円板腔内の配置時に第一の湾曲形状および第一の拡大形状をとり、ひとたび移植されたならば、椎骨体によりインプラントに加えられる荷重に応答して、半径方向の圧縮形状に向かって更に移動するように構成されていることを特徴とする脊椎インプラント。
【請求項２】
前記第一の拡大形状および前記第一の湾曲形状における記憶位置をもつ形状記憶材料で作られていることを特徴とする、請求項１に記載の脊椎インプラント。
【請求項３】
横断面が実質的にＣ型であることを特徴とする、請求項１又は２に記載の脊椎インプラント。
【請求項４】
横断面が実質的に円形であることを特徴とする、請求項１又は２に記載の脊椎インプラント。
【請求項５】
少なくとも第一の実質的に平らな表面および第二の実質的に平らな表面を備えた実質的に矩形の横断面を有することを特徴とする、請求項１又は２に記載の脊椎インプラント。
【請求項６】
インプラント内に収容されたインサート材を更に有することを特徴とする、請求項１から５のいずれか１項に記載の脊椎インプラント。
【請求項７】
前記インサート材は舌／溝構造によりインプラント内に収容されていることを特徴とする、請求項６に記載の脊椎インプラント。
【請求項８】
骨の内成長を高めるために、インプラントの外表面が粗面化されていることを特徴とする、請求項１から６のいずれか１項に記載の脊椎インプラント。
【請求項９】
可撓性を高めるために、外表面に複数の開口が設けられていることを特徴とする、請求項１から６のいずれか１項に記載の脊椎インプラント。
【請求項１０】
可撓性を高めるために、外表面に複数の溝が設けられていることを特徴とする、請求項１から６のいずれか１項に記載の脊椎インプラント。
【手続補正２】
【補正対象書類名】明細書
【補正対象項目名】発明の名称
【補正方法】変更
【補正の内容】
【発明の名称】脊椎インプラント
【手続補正書】
【提出日】平成16年4月16日(2004.4.16)
【手続補正１】
【補正対象書類名】特許請求の範囲
【補正対象項目名】全文
【補正方法】変更
【補正の内容】
【特許請求の範囲】
【請求項１】
トランスフォーム増殖因子β受容体IIをコードする核酸分子を標的とする、長さ8〜50核酸塩基の化合物であって、前記化合物がトランスフォーム増殖因子β受容体IIをコードする前記核酸分子に特異的にハイブリダイズし、そしてトランスフォーム増殖因子β受容体IIの発現を阻害する、前記化合物。
【請求項２】
アンチセンスオリゴヌクレオチドである、請求項1に記載の化合物。
【請求項３】
アンチセンスオリゴヌクレオチドが、SEQ ID NO: 21、22、27、28、33、34、41、42、44、47、49、50、53、56、57、61、63、65、66、67、68、72、73、74、76、78、80、87、91、93、94、20、23、24、25、29、30、31、99、100、101、102、103、104、105、106、107、108、109、110、111、112、113、114、115、116、117、118、119、121、122、123、124、125、127、128、130、131、132、133、134、135、136、137、138、139、143、144、145、146、147、149、150、152、153、154、155、156、158、160または161を含む配列を有する、請求項2に記載の化合物。
【請求項４】
アンチセンスオリゴヌクレオチドが少なくとも一つの修飾ヌクレオシド間結合を含む、請求項2に記載の化合物。
【請求項５】
修飾ヌクレオシド間結合がホスホロチオエート結合である、請求項4に記載の化合物。
【請求項６】
アンチセンスオリゴヌクレオチドが少なくとも一つの修飾糖成分を含む、請求項2に記載の化合物。
【請求項７】
修飾糖成分が2'-O-メトキシエチル糖成分である、請求項6に記載の化合物。
【請求項８】
アンチセンスオリゴヌクレオチドが少なくとも一つの修飾核酸塩基を含む、請求項2に記載の化合物。
【請求項９】
修飾核酸塩基が5-メチルシトシンである、請求項8に記載の化合物。
【請求項１０】
アンチセンスオリゴヌクレオチドがキメラオリゴヌクレオチドである、請求項2に記載の化合物。
【請求項１１】
トランスフォーム増殖因子β受容体IIをコードする核酸分子上の活性部位の少なくとも8-核酸塩基部分と特異的にハイブリダイズする、長さ8〜50核酸塩基の化合物。
【請求項１２】
請求項1に記載の化合物および薬剤的に許容可能な担体または希釈剤を含む、組成物。
【請求項１３】
コロイド分散系をさらに含む、請求項12に記載の組成物。
【請求項１４】
化合物がアンチセンスオリゴヌクレオチドである、請求項12に記載の組成物。
【請求項１５】
細胞または組織におけるトランスフォーム増殖因子β受容体IIの発現を阻害する方法であって、前記細胞または組織を請求項1に記載の化合物と接触させ、それによりトランスフォーム増殖因子β受容体IIの発現を阻害する、前記方法。
【請求項１６】
トランスフォーム増殖因子β受容体IIの発現を阻害することによりトランスフォーム増殖因子β受容体IIと関連する疾患または症状を有する動物を治療するための、治療的または予防的有効量の請求項1に記載の化合物を含む、医薬組成物。
【請求項１７】
疾患または症状が過剰増殖性障害である、請求項16に記載の医薬組成物。
【請求項１８】
過剰増殖性障害が癌である、請求項17に記載の医薬組成物。
【請求項１９】
癌が、肺癌、肝臓癌、骨癌、乳癌、子宮頚癌、結腸癌、胃癌、膵臓癌、食道癌、または造血細胞癌である、請求項18に記載の医薬組成物。
【請求項２０】
疾患または症状が免疫系の活性化が関与するものである、請求項16に記載の医薬組成物。
【手続補正書】
【提出日】平成17年7月21日(2005.7.21)
【手続補正１】
【補正対象書類名】明細書
【補正対象項目名】００５７
【補正方法】変更
【補正の内容】
【００５７】
従って、雌性前核により影響を受ける前に、雄性ＤＮＡ相補鎖又はその他のＤＮＡ相補鎖に外因性遺伝材料が添加されることが好ましい。例えば、外因性遺伝材料は、雄性前核と雌性前核とが充分に隔離され、両方が細胞膜の近くに位置している、雄性前核の形成の後、可能な限り早く、初期雄性前核に添加される。別法として、外因性遺伝材料は、脱凝縮を経るよう誘導された後に精子の核に添加され得る。次いで、外因性遺伝材料を含有している精子が卵に添加されるか、又は凝縮した精子が、卵に添加され、その後に可能な限り早く、外因性遺伝材料が添加される。
【手続補正２】
【補正対象書類名】明細書
【補正対象項目名】０１２３
【補正方法】変更
【補正の内容】
【０１２３】
表２：プロフィリンＩＩの樹状突起棘へのターゲティングのグルタミン酸受容体サブタイプに対する依存
【表２】
2005504529.tif 000001
【手続補正３】
【補正対象書類名】明細書
【補正対象項目名】０１２８
【補正方法】変更
【補正の内容】
【０１２８】
表４：シナプス前グルタミン酸放出により誘導されるプロフィリンＩＩの棘へのターゲティング
【表４】
2005504529.tif 000002
【手続補正４】
【補正対象書類名】明細書
【補正対象項目名】０１２９
【補正方法】変更
【補正の内容】
【０１２９】
内因性グルタミン酸放出は、ＮＭＤＡ受容体を活性化することにより、プロフィリンＩＩの樹状突起棘へのターゲティングを誘発するのに十分である。プロフィリンＩＩ−ＧＦＰで形質移入されたニューロンを、以下のようにして３０処理した。（ａ）１０分間隔で４回３分間９０ｍＭ ＫＣｌへ細胞を曝すことにより誘導される脱分極は、プロフィリンＩＩを棘へ再分布させる。（ｂ）同処理は、ＮＭＤＡ受容体をアンタゴニストＡＰＶ（１００マイクロＭ）により阻止した場合には効果がない。（ｃ）培地から外部Ｍｇ２＋を除去した場合、内因性に放出されるグルタミン酸は、プロフィリンＩＩの棘へのターゲティングを誘発するのに十分である。（ｄ）シナプス前からのグルタミン酸の放出を阻止するため、細胞をボツリヌス毒素Ａ（１００ｎｇ／ｍｌ）と共に２４時間プレインキュベートした場合、外部Ｍｇ２＋の除去はプロフィリンＩＩターゲティングをもたらさなかった。対照として、シナプス後受容体を直接刺激するための、その後の５マイクロＭ ＮＭＤＡの添加は、ターゲティングをもたらした。（＋＋ 強いターゲティング；＋ 弱いターゲティング；− ターゲティングなし；ｎ＝調査された細胞の数）。
【手続補正書】
【提出日】平成17年5月17日(2005.5.17)
【手続補正１】
【補正対象書類名】特許請求の範囲
【補正対象項目名】全文
【補正方法】変更
【補正の内容】
【特許請求の範囲】
【請求項１】
ニワトリのＶＬまたはＶＨと少なくとも８０％の相同性を有し、かつ哺乳動物栄養芽層の合胞性融合を阻害する蛋白質であって、
ＶＬが、以下の配列：
【化１】
2005504525.tif 000001
（ここで、
X0 =未置換、モノもしくはジ置換アミノ基、または１つ以上のアミノ酸；
X1 =PまたはL；
X2 =GまたはE；
X3 =KまたはＥ；
X4 =IまたはＬ；
X5 =GまたはS；
X6 =SまたはG；
X7 =GまたはRまたはY；
X8 =SまたはRまたはYまたは欠失；
X9 =WまたはSまたは欠失；
X10 =SまたはKまたはYまたは欠失；
X11 =YまたはF；
X12 =SまたはAまたは欠失；
X13 =AまたはTまたは欠失；
X14 =VまたはD；
X15 =VまたはL；
X16 =NまたはVまたはSまたはDまたはE；
X17 =NまたはS；
X18 =NまたはTまたはDまたはK；
X19 =KまたはN；
X20 =DまたはN；
X21 =KまたはV；
X22 =TまたはA；
X23 =AまたはHまたはN；
X24 =DまたはE；
X25 =YまたはF；
X26 =NまたはSまたはG；
X27 =RまたはYまたはGまたは欠失；
X28 =Dまたは欠失；
X29 =Wまたは欠失；
X30 =DまたはKまたはAまたは欠失；
X31 =SまたはTまたはD；
X32 =SまたはAまたはG；
X33 =AまたはGまたは欠失；
X34 =GまたはRまたは欠失；
X35 =YまたはNまたは欠失；
X36 =VまたはAまたはT；
X37 =GまたはAまたはN；
X38 =IまたはAまたはM；および
X39 =カルボキシル基、カルボキシル誘導体または１つ以上のアミノ酸；
かつ、哺乳動物栄養芽層の合胞性融合の阻害が保たれる限り、いずれかのアミノ酸の相互のコンサバティブな交換が許容され得る。）
を有し、
ＶＨが、以下の配列：
【化２】
2005504525.tif 000002
（ここで、
X0 =未置換、モノもしくはジ置換アミノ基、または１つ以上のアミノ酸；
X1 =AまたはSまたはT；
X2 =GまたはR；
X3 =GまたはAまたはT；
X4 =AまたはG；
X5 =SまたはTまたはD；
X6 =FまたはM；
X7 =SまたはT；
X8 =SまたはDまたはNまたは欠失；
X9 =GまたはQまたはAまたはT；
X10 =NまたはAまたはQまたはG；
X11 =IまたはV；
X12 =FまたはWまたはY；
X13 =AまたはG；
X14 =GまたはAまたはR；
X15 =IまたはM；
X16 =SまたはNまたはG；
X17 =SまたはRまたはN；
X18 =Gまたは欠失；
X19 =FまたはTまたはSまたはN；
X20 =GまたはSまたはA；
X21 =NまたはSまたはR；
X22 =RまたはSまたはY；
X23 =GまたはAまたはNまたはY；
X24 =GまたはA；
X25 =SまたはAまたはP；
X26 =KまたはQ；
X27 =RまたはL；
X28 =AまたはC；
X29 =TまたはH；
X30 =IまたはH；
X31 =SまたはL；
X32 =RまたはE；
X33 =DまたはG；
X34 =NまたはQまたはRまたはDまたはK；
X35 =GまたはRまたはW；
X36 =QまたはA；
X37 =SまたはE；
X38 =TまたはH；
X39 =VまたはS；
X40 =RまたはE；
X41 =LまたはA；
X42 =QまたはA；
X43 =LまたはA；
X44 =NまたはEまたはS；
X45 =NまたはQ；
X46 =LまたはP；
X47 =RまたはQ；
X48 =AまたはG；
X49 =EまたはG；
X50 =DまたはH；
X51 =TまたはRまたはL；
X52 =GまたはPまたは欠失；
X53 =TまたはPまたは欠失；
X54 =YまたはTまたは欠失；
X55 =YまたはSまたは欠失；
X56 =CまたはAまたは欠失；
X57 =AまたはPまたは欠失；
X58 =Kまたは欠失；
X59 =カルボキシル基、カルボキシル誘導体、または１つ以上のアミノ酸；
かつ、栄養芽層細胞の合胞性融合の阻害が保たれる限り、いずれかのアミノ酸の相互のコンサバティブな交換が許容され得る。）
を有し、
配列ＶＬおよびＶＨを有する蛋白質が、リンカーによって相互に連結されている、前記蛋白質。
【請求項２】
前記リンカーは、少なくともいずれか５つのアミノ酸からなるペプチド鎖である、請求項１に記載の蛋白質。
【請求項３】
Ｄ−アミノ酸が配列中に含まれる、請求項１または２に記載の蛋白質。
【請求項４】
配列番号１〜１０のアミノ酸配列を有する、請求項１〜３の少なくとも１項に記載の蛋白質。
【請求項５】
配列番号１１の配列（コンセンサス配列）を有する蛋白質。
【請求項６】
請求項１〜５のいずれかに記載の蛋白質をコードする核酸。
【請求項７】
前記核酸は、ＤＮＡまたはＲＮＡである、請求項６に記載の核酸。
【請求項８】
請求項６または７に記載の核酸を含むプラスミドまたはベクター。
【請求項９】
請求項１〜５のいずれかに記載の少なくとも１つの蛋白質または請求項６もしくは７に記載の少なくとも１つの核酸を含む、哺乳動物における避妊のための薬剤。
【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
互いに対して移動可能な第１ジョー及び第２ジョーと、
前記第１ジョーにより支持され、縫合糸を支持するようになった屈曲可能針と、
を備え、
前記針は、該針が前記ジョー内に実質的に収められる第１位置と該針の遠位側部分が前記第１ジョーから突出する第２位置との間で移動可能であり、
前記縫合糸を、前記屈曲可能針により支持される前に所定の位置に固定するための手段が設けられた、
ことを特徴とする縫合装置。
【請求項２】
前記固定手段が、前記第１ジョーの遠位側部分に含まれる片持ちばねを備えることを特徴とする請求項１に記載の装置。
【請求項３】
前記固定手段が、前記第１ジョーの遠位側部分に形成された溝からなることを特徴とする請求項１に記載の装置。
【請求項４】
前記第１ジョーから離間して配置され、前記屈曲可能針により支持される前記縫合糸を外すように構成された縫合糸受け部をさらに備えることを特徴とする請求項１に記載の装置。
【請求項５】
前記縫合糸受け部が、少なくとも１つのフラップを備えることを特徴とする請求項４に記載の装置。
【請求項６】
前記縫合糸受け部が、エストラマー・パッドを備えることを特徴とする請求項４に記載の装置。
【請求項７】
前記第１ジョーが軸線を定め、前記屈曲可能針を前記軸線に全体的に平行ではない方向に案内するようになった転換ブロックをさらに備えることを特徴とする請求項１に記載の装置。
【請求項８】
進入部を定める第１ジョーと、
前記第１ジョーに対して移動可能な第２ジョーと、
前記第１ジョーにより支持され、近位位置と遠位位置との間で移動可能な屈曲可能針と、
を備え、
前記針には針スロットが形成され、前記針スロットは、前記進入部を通して縫合糸を該針スロット内に装填することを可能にするように該進入部と位置合わせできることを特徴とする縫合装置。
【請求項９】
前記第２ジョーに隣接して配置された縫合糸受け部をさらに備えることを特徴とする請求項８に記載の装置。
【請求項１０】
前記第２ジョーが、一体の縫合糸受け部をさらに備えることを特徴とする請求項８に記載の装置。
【請求項１１】
前記屈曲可能針に連結され、該屈曲可能針を前記近位位置と前記遠位位置との間で移動させるように構成されたアクチュエータをさらに備えることを特徴とする請求項８に記載の装置。
【請求項１２】
前記アクチュエータが親指レバーを備えることを特徴とする請求項１１に記載の装置。
【請求項１３】
前記第１ジョーが、軸線を定め、前記進入部と連通した軸線方向のスロットをさらに備えることを特徴とする請求項８に記載の装置。
【請求項１４】
前記進入部が横方向の開口部からなり、
前記針スロットが横方向のスロットからなる、
ことを特徴とする請求項８に記載の装置。
【請求項１５】
前記第２ジョーが、少なくとも１つのフックを備えることを特徴とする請求項８に記載の装置。
【請求項１６】
前記針スロットが前記屈曲可能針の第１側面上に配置され、
前記屈曲可能針が前記第１側面とは反対側の第２側面をさらに備える、
ことを特徴とする請求項８に記載の装置。
【請求項１７】
前記屈曲可能針が、前記第２側面上に形成された少なくとも１つの三日月形部をさらに備えることを特徴とする請求項１６に記載の装置。
【請求項１８】
前記屈曲可能針が、前記第１側面とほぼ平行に延びる針の軸線を定め、
前記屈曲可能針が、前記ノッチの遠位側において前記第１側面上に配置された遠位側レッジと、該ノッチの近位側において該第１側面上に配置された近位側レッジとを備え、
前記遠位側レッジが前記針の軸線からの第１の横方向距離を定め、前記第１の横方向距離が、前記近位側レッジにより定められる前記針の軸線からの第２の横方向距離より大きい、
ことを特徴とする請求項１６に記載の装置。
【請求項１９】
互いに対して移動可能な第１ジョー及び第２ジョーと、
前記第１ジョーから離間して配置され、縫合糸を釈放可能に保持するようになった縫合糸受け部と、
前記第１ジョーにより支持され、近位位置と遠位位置との間で移動可能な屈曲可能針と、
を備え、前記屈曲可能針は、該針が前記遠位位置にあるときに前記縫合糸に係合するようになった針の遠位側部分を有することを特徴とする縫合糸引き戻し装置。
【請求項２０】
前記第２ジョーが、前記縫合糸受け部を備えることを特徴とする請求項１９に記載の装置。
【請求項２１】
前記針の遠位側部分がフックを備えることを特徴とする請求項１９に記載の装置。
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
生体組織を締め付けるための締付デバイスであって、
少なくとも１つの開口端を有した長尺スリーブであるとともに、弾性材料から形成されていて、膨張状態とされたときには、締付対象をなす生体組織を内部に受領し、さらに、前記膨張状態が解除されたときには、内部において前記生体組織を締め付けるものとされた、長尺スリーブと；
生体組織上に前記スリーブを維持するための縫糸を受領する少なくとも１つの縫合穴と；
前記少なくとも１つの縫合穴の周囲に設けられた補強構造と；
を具備していることを特徴とする締付デバイス。
【請求項２】
請求項１記載の締付デバイスにおいて、
前記補強構造が、前記スリーブのうちの、前記少なくとも１つの縫合穴の周囲に位置した厚肉部分とされていることを特徴とする締付デバイス。
【請求項３】
請求項２記載の締付デバイスにおいて、
前記スリーブが、複数の縫合穴を備え、
前記補強構造が、前記各縫合穴の周囲に位置した厚肉部分とされていることを特徴とする締付デバイス。
【請求項４】
請求項３記載の締付デバイスにおいて、
前記複数の縫合穴が、前記スリーブの周回りにおいて分散配置されていることを特徴とする締付デバイス。
【請求項５】
請求項３記載の締付デバイスにおいて、
前記複数の縫合穴が、前記少なくとも１つの開口端の近傍において、前記スリーブの周回りに分散配置されていることを特徴とする締付デバイス。
【請求項６】
請求項３記載の締付デバイスにおいて、
前記スリーブの前記厚肉部分が、前記スリーブを囲むバンドを形成し、
前記複数の縫合穴が、前記バンドを貫通して延在していることを特徴とする締付デバイス。
【請求項７】
請求項６記載の締付デバイスにおいて、
前記バンドが、前記少なくとも１つの開口端の近傍に位置していることを特徴とする締付デバイス。
【請求項８】
請求項１記載の締付デバイスにおいて、
前記補強構造が、縫合ニードルを前記少なくとも１つの縫合穴内へと案内し得るようなテーパー状横断面形状部分を有していることを特徴とする締付デバイス。
【請求項９】
請求項２記載の締付デバイスにおいて、
前記スリーブが、内表面を有し、
前記厚肉部分が、前記スリーブの前記内表面から延出されていることを特徴とする締付デバイス。
【請求項１０】
請求項２記載の締付デバイスにおいて、
前記スリーブが、外表面を有し、
前記厚肉部分が、前記スリーブの前記外表面から延出されていることを特徴とする締付デバイス。
【請求項１１】
請求項１記載の締付デバイスにおいて、
前記補強構造が、前記スリーブを形成している弾性材料よりも大きな引裂耐性を有した弾性材料から形成された弾性材料層とされていることを特徴とする締付デバイス。
【請求項１２】
請求項１記載の締付デバイスにおいて、
前記スリーブを貫通した複数の縫合穴を具備し、
前記補強構造が、前記スリーブを形成している弾性材料よりも大きな引裂耐性を有した弾性材料から形成された弾性材料層とされ、さらに、前記各縫合穴の周囲に配置されていることを特徴とする締付デバイス。
【請求項１３】
請求項１２記載の締付デバイスにおいて、
前記弾性材料層が、前記スリーブの周囲に位置した連続バンドを形成していることを特徴とする締付デバイス。
【請求項１４】
請求項８記載の締付デバイスにおいて、
前記少なくとも１つの縫合穴が、前記補強構造によって形成されているとともに、前記スリーブを貫通していないことを特徴とする締付デバイス。
【請求項１５】
請求項１記載の締付デバイスにおいて、
ヒトの肺の一部を締め付け得るものとされていることを特徴とする締付デバイス。
【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
加工された肉製品におけるカルボキシメチルセルロース（ＣＭＣ）の使用において、ＣＭＣが０．３重量％の水性塩化ナトリウム溶液中での高剪断溶解後に２５℃においてゲルを形成すること、該水性塩化ナトリウム溶液中のＣＭＣの最終含有量が、＞４，０００の重合度（ＤＰ）を有するＣＭＣの場合１重量％、＞３，０００〜４，０００のＤＰを有するＣＭＣの場合１．５重量％、１，５００〜３，０００のＤＰを有するＣＭＣの場合２重量％、及び＜１，５００のＤＰを有するＣＭＣの場合４重量％であること、該ゲルは、０．２の歪において稼動する振動レオメーターで測定されたとき、０．０１〜１０Ｈｚの周波数領域全体に渡って、損失弾性率（Ｇ´´）を超える貯蔵弾性率（Ｇ´）を有する流動体であることを特徴とする、カルボキシメチルセルロースを使用する方法。
【請求項２】
CMCが、０．３重量％の水性塩化ナトリウム溶液中での高せん断溶解後に９，０００ｍＰａ．ｓより高いブルックフィールド粘度を有すること、該水性塩化ナトリウム溶液におけるCMCの最終含有量が、＞４，０００の重合度（DP）を有するCMCの場合１重量％、＞３，０００〜４，０００のDPを有するCMCの場合、１．５重量％、１，５００〜３，０００のDPを有するCMCの場合２重量％、及び＜１，５００のDPを有するCMCの場合、４重量％であることを特徴とする、請求項１に記載の方法。
【請求項３】
CMCが１，５００以上のDPを有することを特徴とする、請求項１又は２のいずれか１項に記載の方法。
【請求項４】
CMCがリンターセルロースから製造されることを特徴とする、請求項３に記載の方法。
【請求項５】
CMCが０．５〜１．２のDSを有することを特徴とする、請求項１〜４のいずれか１項に記載の方法。
【請求項６】
加工された肉製品が乳化された肉製品、挽肉製品、ペットフード、又はハムであることを特徴とする、請求項１〜５のいずれか１項に記載の方法。
【請求項７】
加工された肉製品が乳化された肉製品であることを特徴とする、請求項６に記載の方法。
【請求項８】
加工された肉製品がビーフ、ポーク、魚、又は家禽を含む、請求項１〜７のいずれか１項に記載の方法。
【請求項９】
CMCがカラギーナン、コラーゲンたんぱく質、蒟蒻、又は澱粉と組み合わせて使用されることを特徴とする、請求項１〜５のいずれか１項に記載の方法。
【請求項１０】
CMCが、加工された肉製品の合計重量に基づいて０．０５〜０．５重量％の量において使用されることを特徴とする、請求項１〜９のいずれか１項に記載の方法。
【手続補正書】
【提出日】平成17年8月24日(2005.8.24)
【手続補正１】
【補正対象書類名】明細書
【補正対象項目名】００１８
【補正方法】変更
【補正の内容】
【００１８】
ゲームコントローラ１０８は、ゲームマシン１０２の動作を担当している。従って、ゲームコントローラ１０８は、スロットマシン又は他の型のゲームを実行するため、マイクロプロセッサ、メモリ、ゲームソフトウェア、及びサポート回路を備えている。ディスプレイ１１０は、ゲームマシン１０２内の残高の表示（例えば、＄４５５．５０）を、プレーヤに提供する。プレーの際、ゲームコントローラ１０８は、ゲームのルール及びプレーヤとの対話に従って残高（コイン比較部１１４及び証書確認部１１６を介しての追加投入を含む）を把握し、さらに、換金信号１３４がアクティブになるのを監視する。従って、各ゲームマシン１０２，１０４，１０６が、好ましくは、ローカルで中央機構１０２から独立して、残高を把握しているため、中央機構１２０は、各ゲームマシン１０２，１０４，１０６における残高を監視する必要はない。
【手続補正２】
【補正対象書類名】明細書
【補正対象項目名】００２９
【補正方法】変更
【補正の内容】
【００２９】
次に、図３を参照すると、ゲームネットワーク３００のブロック図には、コイン比較部３１４、証書確認部及びチケットリーダ３１６、並びにチケットプリンタ３１８を介した中央機構１２０による制御が示されている。それ自体により示されるように、個別のチケットリーダ及びチケットプリンタが使用されてもよいが、リーダ及びプリンタの機能が単一の装置内に組み込まれてもよい。図３は、図１に類似しており、同様の参照番号は同様の部分を示している。但し、コイン比較部３１４、証書確認部及びチケットリーダ３１６、並びにチケットプリンタ３１８は、ゲームコントローラ１０８に対してではなく、ゲームインタフェース３１２に対して直接接続されている。
【手続補正３】
【補正対象書類名】明細書
【補正対象項目名】００３０
【補正方法】変更
【補正の内容】
【００３０】
結果として、中央機構１２０は、コイン比較部３１４、証書確認部及びチケットリーダ３１６、並びにチケットプリンタ３１８を通じて、ゲームインタフェース３１２を介して、制御を実行してもよい。従って、ゲームコントローラ１０８は、それらの役割から解放されている。さらに、従来のゲームコントローラのチケット印刷及び読取ができない既存のゲームマシンは、ゲームインタフェース３１２、証書確認部及びチケットリーダ３１６、並びにチケットプリンタ３１８が追加された場合には、チケットを発行及び換金しうる。このような追加において、コイン比較部３１４は、ゲームインタフェース３１２に対して接続されている。
【手続補正４】
【補正対象書類名】明細書
【補正対象項目名】００３１
【補正方法】変更
【補正の内容】
【００３１】
インタフェース３１２は、コイン比較部３１４、並びに、証書確認部及びチケットリーダ３１６とチケットプリンタ３１８とを直接制御するため、そして、それに対応して、ここに説明するように、中央機構１２０と通信するために、メモリ１４６内にソフトウェアを備えている。インタフェース３１２のハードウェア要素は、ゲームマシン１０２内に装着される単一のプリント配線板（又は必要であればいくつかの配線板）上に、組み込まれてもよい。そのプリント配線板は、現行のマシンに追加してチケット機能を提供するように、現行のマシンの元々のインタフェースボードに取って代わってもよい。このように、現行のマシンは、チケットの印刷及び換金機能を獲得する。そのように示されるように、装置は、通例の証書確認部及びチケットリーダ３１６のチケット受付口を配置し、通例のチケットプリンタ３１８の払出口を配置するために、ゲームマシンにおける正面が切り取られてもよい。また、必要であれば、ゲームマシンの正面上に指示情報が印刷されてもよい。
【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
配列番号：113に記載のポリペプチド配列を有するポリペプチドの免疫原性部分を含んでなる単離されたポリペプチドフラグメントにおいて、当該免疫原性部分が配列番号：113のアミノ酸残基464−472を含む、単離されたポリペプチドフラグメント。
【請求項２】
請求項１に記載のポリペプチドフラグメントをコードする単離されたポリヌクレオチド。
【請求項３】
発現制御配列に作用可能に連結された、請求項２に記載のポリヌクレオチドを含んで成る発現ベクター。
【請求項４】
請求項３に記載の発現ベクターによりトランスフェクトされた宿主細胞。
【請求項５】
請求項１に記載のポリペプチドに特異的に結合する、単離された抗体又はその抗原結合フラグメント。
【請求項６】
患者における癌の存在を検出する方法において、
（ａ）患者からの生物学的サンプルを、請求項１に記載のポリペプチドに結合する結合剤と接触せしめ；
（ｂ）前記サンプル中の、前記結合剤に結合するポリペプチドの量を検出し；そして
（ｃ）前記ポリペプチドの量をあらかじめ定めたカット−オフ値と比較し、そしてその結果から患者における癌の存在を決定する；
ことを含んで成る方法。
【請求項７】
請求項１に記載のポリペプチドフラグメントを含んで成る融合タンパク質。
【請求項８】
腫瘍タンパク質に対して特異的なＴ細胞を生体外で刺激及び／又は拡大する方法において、
（ａ）請求項１に記載のポリペプチド；
（ｂ）請求項２に記載のポリヌクレオチド；及び
（ｃ）請求項２に記載のポリヌクレオチドを発現する抗原提示細胞；
から成る群から選択される少なくとも１つの成分を、Ｔ細胞の刺激及び／拡大を可能にするのに十分な条件下で及び時間に亘り、Ｔ細胞と接触せしめる、ことを含んでなる方法。
【請求項９】
請求項８に記載の方法により得ることができるＴ細胞を含んで成る単離されたＴ細胞集団。
【請求項１０】
（Ａ）生理学的に許容されるキャリアー及び免疫刺激物質から成る群から選択される第一成分、並びに
（Ｂ）（ａ）請求項１に記載のポリペプチド；
（ｂ）請求項２に記載のポリヌクレオチド；
（ｃ）請求項５に記載の抗体；
（ｄ）請求項７に記載の融合タンパク質；
（ｅ）請求項９に記載のＴ細胞集団；及び
（ｆ）請求項２に記載のポリヌクレオチドを発現する抗原提示細胞；
から成る群から選択された第二成分、
を含んで成る組成物。
【請求項１１】
患者において免疫応答を刺激するための、請求項10に記載の組成物。
【請求項１２】
患者において前立腺癌を治療するための、請求項10に記載の組成物。
【請求項１３】
請求項２に記載のポリヌクレオチドに高緊縮条件下でハイブリダイズするオリゴヌクレオチド。
【請求項１４】
患者における癌の存在を決定する方法において、
（ａ）患者から得た生物学的サンプルを、請求項13に記載のオリゴヌクレオチドと接触せしめ；
（ｂ）前記サンプル中の、前記オリゴヌクレオチドとハイブリダイズするポリヌクレオチドの量を検出し；そして
（ｃ）前記オリゴヌクレオチドにハイブリダイズするポリヌクレオチドの量をあらかじめ定めたカット−オフ値と比較し、その結果から患者における癌の存在を検出する：
工程を含んで成る方法。
【請求項１５】
請求項13に記載の少なくとも１種のオリゴヌクレオチドを含んでなる診断キット。
【請求項１６】
請求項５に記載の少なくとも１種の抗体、及びレポーター基を含む検出試薬、を含んで成る診断キット。
【請求項１７】
患者における前立腺癌の治療方法において使用するための、
（ａ）請求項１に記載のポリペプチド；
（ｂ）請求項２に記載のポリヌクレオチド；及び
（ｃ）請求項２に記載のポリヌクレオチドを発現する抗原提示細胞；
から成る群から選択された少なくとも１種の成分であって、前記の治療方法が、患者から単離されたCD4+及び／又はCD8+Ｔ細胞を、上記の少なくとも１種の成分と共にインキュベートし、そして当該インキュベートされたＴ細胞を患者に投与し、これにより患者における前立腺がんの発達を阻害することを含んである、前記成分。
【手続補正書】
【提出日】平成17年5月16日(2005.5.16)
【手続補正１】
【補正対象書類名】特許請求の範囲
【補正対象項目名】全文
【補正方法】変更
【補正の内容】
【特許請求の範囲】
【請求項１】
配列番号１に示すアミノ酸配列の特徴を有する重鎖可変領域、またはそのフラグメント、対立遺伝子変種、機能的変種、糖化変種、融合分子もしくは化学的誘導体を含む抗体分子。
【請求項２】
前記重鎖可変領域が、配列番号１のアミノ酸配列の特徴を有するアミノ酸から成る抗体分子。
【請求項３】
配列番号２に示すアミノ酸配列の特徴を有する軽鎖可変領域、またはそのフラグメント、対立遺伝子変種、機能的変種、糖化変種、融合分子もしくは化学的誘導体を含む抗体分子。
【請求項４】
前記軽鎖可変領域が、配列番号２のアミノ酸配列の特徴を有するアミノ酸から成る抗体分子。
【請求項５】
配列番号３に示すアミノ酸配列の特徴を有する軽鎖可変領域、またはそのフラグメント、対立遺伝子変種、機能的変種、糖化変種、融合分子もしくは化学的誘導体を含む抗体分子。
【請求項６】
前記軽鎖可変領域が、配列番号３のアミノ酸配列の特徴を有するアミノ酸から成る抗体分子。
【請求項７】
配列番号４に示す核酸配列によってコードされる重鎖可変領域、またはそのフラグメント、対立遺伝子変種、機能的変種、縮退核酸コードによる変種、融合分子もしくは化学的誘導体を含む抗体分子。
【請求項８】
前記重鎖可変領域が配列番号４に示す核酸配列によってコードされる抗体分子。
【請求項９】
配列番号５に示す核酸配列によってコードされる軽鎖可変領域、またはそのフラグメント、対立遺伝子変種、機能的変種、縮退核酸コードによる変種、融合分子もしくは化学的誘導体を含む抗体分子。
【請求項１０】
前記軽鎖可変領域が配列番号５に示す核酸配列によってコードされる抗体分子。
【請求項１１】
配列番号６に示す核酸配列によってコードされる軽鎖可変領域、またはそのフラグメント、対立遺伝子変種、機能的変種、縮退核酸コードによる変種、融合分子もしくは化学的誘導体を含む抗体分子。
【請求項１２】
前記軽鎖可変領域が配列番号６に示す核酸配列によってコードされる抗体分子。
【請求項１３】
配列番号７に示すアミノ酸配列の特徴を有する重鎖を含み、さらに配列番号８に示すアミノ酸配列の特徴を有する軽鎖またはそのフラグメント、対立遺伝子変種、機能的変種、糖化変種、融合分子もしくは化学的誘導体を含む、請求項１から１２のいずれかに記載の抗体分子。
【請求項１４】
配列番号７に示すアミノ酸配列の特徴を有する重鎖を含み、さらに配列番号９に示すアミノ酸配列の特徴を有する軽鎖またはそのフラグメント、対立遺伝子変種、機能的変種、糖化変種、融合分子もしくは化学的誘導体を含む、請求項１から１３のいずれかに記載の抗体分子。
【請求項１５】
前記抗体タンパク質が治療薬剤と結合される請求項１から１４のいずれかに記載の抗体タンパク質。
【請求項１６】
前記治療薬剤が、放射性同位元素、毒素、類毒素、炎症剤および化学療法剤から成る群から選択される治療薬剤である請求項１５の抗体タンパク質。
【請求項１７】
前記放射性同位元素が186レニウム、188レニウム、131ヨウ素および90イットリウムから成る群から選択されるβ線放出放射性同位元素である、請求項１５又は１６に記載のの抗体タンパク質。
【請求項１８】
請求項１から１７のいずれかに記載の抗体タンパク質および医薬的に許容できる担体または賦形剤を含む医薬組成物。
【請求項１９】
請求項１から１４のいずれかに記載の抗体タンパク質をコードすることを特徴とする核酸。
【請求項２０】
請求項１９に記載の核酸を含むことを特徴とするリコンビナントＤＮＡベクター。
【請求項２１】
請求項２０に記載のベクターを含むことを特徴とするホスト。
【請求項２２】
以下の工程を含むことを特徴とする請求項１から１４のいずれかに記載の抗体タンパク質の製造方法：請求項２１に記載のホストを前記ホスト細胞によって前記抗体タンパク質が発現される条件下で培養し、前記抗体タンパク質を単離する。
【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
マイクロシステム技術を使用して、デバイス（１０；３０）中に光学的に透明な壁部を備えた中空室（７；３６）を作成する方法において、少なくとも１種の光学的に透明なジャケット層により全面的に取り囲まれているシリコン領域（４；３４）を作成し、少なくとも１つの開口部（６；３５）を前記のジャケット層中に作成し、このジャケット層により取り囲まれたシリコンを、ジャケット層中の開口部を介して気相エッチング法により溶かし出し、その際、このジャケット層がエッチストップ層として機能することを特徴とする、光学的に透明な壁部を備えた中空室を作成する方法。
【請求項２】
酸化ケイ素層、窒化ケイ素層又はホウリンケイ酸塩ガラス層をジャケット層として利用することを特徴とする、請求項１記載の方法。
【請求項３】
シリコンを、気相中での二フッ化キセノンＸｅＦ２を用いるエッチングにより溶かし出すことを特徴とする、請求項１又は２記載の方法。
【請求項４】
第１の光学的に透明なエッチストップ層（２）をデバイス（１０）の基板（１）上に作成し、シリコン層（３）を前記のエッチストップ層（２）上に作成し、このシリコン層（３）を、作成すべき中空室の寸法形状を有するシリコン領域（４）が生じるように構造化し、この構造化されたシリコン層（３）上に第２の光学的に透明なエッチストップ層（５）を作成して、前記のシリコン領域（４）の全面が第１又は第２のエッチストップ層（２，５）により取り囲まれることを特徴とする、請求項１から３までのいずれか１項記載の方法。
【請求項５】
ＳＯＩ−ウェハの上側のシリコン層（３）を、作成すべき中空室の形状寸法を有するシリコン領域（４）が生じるように構造化し、この構造化されたシリコン層（３）上に第２の光学的に透明なエッチストップ層（５）を作成して、シリコン領域（４）の全面が第１又は第２のエッチストップ層（２，５）により取り囲まれることを特徴とする、請求項１から３までのいずれか１項記載の方法。
【請求項６】
第２のエッチストップ層が平坦化されることを特徴とする、請求項４又は５記載の方法。
【請求項７】
ホウリンケイ酸塩ガラス層を第２のエッチストップ層として堆積させ、その後に熱処理を実施して、前記のホウリンケイ酸塩ガラス層を液状化させることを特徴とする、請求項４から６までのいずれか１項記載の方法。
【請求項８】
デバイス（３０）をシリコン基板（３１）上に実現する、請求項１から３までのいずれか１項記載の方法において、シリコン基板（３１）中に埋設されたドーピング領域（３２）を作成し、陽極処理を実施し、前記処理の際に埋設されたドーピング領域（３２）から埋設された多孔性領域（３２）を作成し、酸化を実施し、前記の酸化の際に前記の埋設された領域（３２）中の多孔性シリコンを酸化させかつシリコン基板（３１）の表面上に酸化ケイ素層（３３）を形成させて、シリコン領域（３４）が酸化ケイ素−ジャケット層で全面的に取り囲まれることを特徴とする、請求項１から３までのいずれか１項記載の方法。
【請求項９】
ジャケット層を、中空室の外側の壁部の露出の際にもエッチストップ層として用いることを特徴とする、請求項１から８までのいずれか１項記載の方法。
【請求項１０】
壁部中にキャパシタプレートを実現することを特徴とする、請求項１から９までのいずれか１項記載の方法によりデバイス中に光学的に透明な壁部を備えた通路を作成する方法。
【請求項１１】
キャパシタプレートを壁部のドーピング又はメタライジングにより実現することを特徴とする、請求項１０記載の方法。
【請求項１２】
通路中にもたらされた媒体の加熱のために加熱構造体を作成することを特徴とする、請求項１から１１までのいずれか１項記載の方法によりデバイス中に光学的に透明な壁部を備えた通路を作成する方法。
【請求項１３】
デバイス（６０）中にガラス繊維（６６）用の切欠（６５）を作成し、この切欠を介して通路（６１）内へ光を入力結合することができることを特徴とする、請求項１から１２までのいずれか１項記載の方法によりデバイス中に光学的に透明な壁部を備えた通路を作成する方法。
【請求項１４】
レベル表示器、ゲート又は誘電性の液体の計量供給装置の製造のための、請求項１０から１３までのいずれか１項記載の方法の使用。
【手続補正書】
【提出日】平成17年10月11日(2005.10.11)
【手続補正１】
【補正対象書類名】特許請求の範囲
【補正対象項目名】請求項１
【補正方法】変更
【補正の内容】
【請求項１】
1×106グラム/モルより大きい重量平均分子質量を有する超高分子量ポリエチレン(UHMW‐PE)を焼結する方法であって、絡み合っていないUHMW‐PEが、20MPa未満の圧力において414．6Kを超える温度に加熱されるところの方法。